(57)【要約】【課題】  設置作業及び撤去作業が簡易迅速に行なえ、複数の直径の杭に対応できると共に、強力な反力が得られる反力架台を提供する。【解決手段】  枠体１０に、杭圧入引抜機のクランプを固定するためのクランプ固定手段２０を取り付け、上記クランプ固定手段２０にアタッチメント２２を装着することで直径の異なる杭の圧入を可能とし、上記枠体１０の外側にはあらかじめ地中に圧入された反力用杭５０を挟持するための挟持手段３０を構成すると共に、前端には１本目の圧入杭６０と連結するための連結手段４０を備えた。【選択図】図１
2006002498.tif 000002
【特許請求の範囲】
【請求項１】
枠体に、杭圧入引抜機のクランプを固定するためのクランプ固定手段を取り付け、上記枠体にはあらかじめ設置された反力体を挟持する挟持手段を構成すると共に、前端には１本目の圧入杭と連結するための連結手段を備えた反力架台。
【請求項２】
枠体に、杭圧入引抜機のクランプを固定するためのクランプ固定手段を取り付け、上記クランプ固定手段に、形状の異なるクランプを固定可能なアタッチメントを着脱自在に装着した反力架台。
【請求項３】
枠体に、杭圧入引抜機のクランプを固定するためのクランプ固定手段を取り付け、上記クランプ固定手段に、形状の異なるクランプを固定可能なアタッチメントを着脱自在に装着すると共に、
上記枠体にはあらかじめ設置された反力体を挟持する挟持手段を構成した反力架台。
【請求項４】
地中に反力用杭を圧入し、この反力用杭を反力架台の枠体に構成した杭の挟持手段によって挟持して反力架台を反力用杭上に載置した後、
上記枠体に取り付けたクランプ固定手段の内側に必要に応じて圧入杭に対応するアタッチメントを取り付けたものに、上記アタッチメントを介して杭圧入引抜機のクランプを固定した後、反力架台前方に１本目の杭を圧入し、
その後、反力架台と１本目の圧入杭とを連結して杭の圧入を行なう杭の圧入引抜方法。
【発明の詳細な説明】
【技術分野】
【０００１】
本発明は、反力架台及びその反力架台を用いた杭の圧入引抜方法に関するものである。
【背景技術】
【０００２】
従来より杭を初期圧入する場合には反力架台を用いてきた。例えば特許文献１に示すものは、平板状の架台本体の中心に、打設鋼管杭の内径と略等しい内径を有するクランプ挿入孔を設け、側部の架台に支持杭クランプ部を設けたものであった。
あるいは図５に示すような反力架台も使用されていた。このタイプのものは、両側に圧入した鋼矢板１０１に支持体１０３と杭圧入引抜機のクランプと略等しい内径を有するクランプ挿入孔１１０からなる反力架台を溶接又はボルト等により固定したものである。
【特許文献１】実開平６−３０２２２号
【０００３】
しかし上記２件の反力架台では、その構造上クランプ挿入孔の直径を変更することはできないため、クランプの直径の異なった杭圧入引抜機を設置することができない。そのため、これらの反力架台では杭圧入引抜機のクランプの直径、すなわち圧入杭の直径に対応して複数の反力架台を用意する必要があった。
また、後者の反力架台は鋼矢板１０１に固定するために反力架台の移動が容易に行なえないという問題点があり、反力架台の設置及び撤去に１５０分から２４０分程度の時間がかかっていた。さらには、十分な反力が得られない場合には、反力架台を１本目の圧入杭に溶接して固定して反力の増加を行なっていた。
【発明の開示】
【発明が解決しようとする課題】
【０００４】
本発明は上記の点に鑑みなされたものであり、反力架台の設置及び撤去が簡易、迅速に行なえ、直径等の形状の異なる圧入杭を圧入する複数の杭圧入引抜機に対応できる上に、強力な反力が得られる反力架台を提供するものである。
【課題を解決するための手段】
【０００５】
本発明の要旨とするところは、枠体に、杭圧入引抜機のクランプを固定するためのクランプ固定手段を取り付け、上記枠体にはあらかじめ設置された反力体を挟持する挟持手段を構成すると共に、前端には１本目の圧入杭と連結するための連結手段を備えた反力架台にある。
【０００６】
また本発明の要旨とするところは、枠体に、杭圧入引抜機のクランプを固定するためのクランプ固定手段を取り付け、上記クランプ固定手段に、形状の異なるクランプを固定可能なアタッチメントを着脱自在に装着した反力架台にある。
【０００７】
また本発明の要旨とするところは、枠体に、杭圧入引抜機のクランプを固定するためのクランプ固定手段を取り付け、上記クランプ固定手段に、形状の異なるクランプを固定可能なアタッチメントを着脱自在に装着すると共に、
上記枠体にはあらかじめ設置された反力体を挟持する挟持手段を構成した反力架台にある。
【０００８】
また本発明の要旨とするところは、地中に反力用杭を圧入し、この反力杭を反力架台の枠体に構成した杭の挟持手段によって挟持して反力架台を反力用杭上に載置した後、
上記枠体に取り付けたクランプ固定手段の内側に必要に応じて圧入杭に対応するアタッチメントを取り付けたものに、上記アタッチメントを介して杭圧入引抜機のクランプを固定した後、反力架台前方に１本目の杭を圧入し、その後、反力架台と１本目の圧入杭とを連結して杭の圧入を行なう杭の圧入引抜方法にある。
【発明の効果】
【０００９】
本発明は上記の如き構成であるため、反力架台の設置作業及び撤去作業が簡易、安全に行なえ、かつ作業時間が短縮される。また、形状の異なるアタッチメントを装着することによって、形状の異なる複数の杭の圧入に対応できると共に、連結手段によって反力架台を既圧入杭に連結することで強力な反力が得られる等、杭の初期圧入を確実に効率よく行なうことができるのである。
【発明を実施するための最良の形態】
【００１０】
本発明を実施するための最良の形態は、枠体に、杭圧入引抜機のクランプを固定するためのクランプ固定手段を取り付け、上記クランプ固定手段にアタッチメントを装着することで直径等の形状の異なる杭の圧入を可能とし、上記枠体の外側にはあらかじめ地中に圧入された反力用杭を挟持するための杭の挟持手段を構成すると共に、前端には１本目の圧入杭と連結するための連結手段を備えた反力架台と、この反力架台を用いて行なう杭の圧入引抜方法である。
【実施例１】
【００１１】
本実施例の反力架台１の構成を図１ないし図３に基づいて説明する。図１は本発明の反力架台の一実施例を示す平面図、図２は同側面図及び図３は同正面図である。
【００１２】
反力架台１は、杭圧入引抜機のクランプ（図示せず）を固定するために、平行な枠体１０の内側に２個のクランプ固定手段２０を固定し、さらに枠体１２、１４、１６でクランプ固定手段２０を固定している。図中４０は、前方の枠体１６に固定された、圧入杭６０との連結プレートである。
【００１３】
上記クランプ固定手段２０の内部には、アタッチメント２２が着脱自在に固定されている。このアタッチメント２２は、杭圧入引抜機のクランプの直径が異なる場合、その直径に合わせ装着するものである。
つまり、杭圧入引抜機のクランプの直径は圧入する杭の直径に対応しているから、圧入する杭の直径を変更する場合、杭圧入引抜機のクランプを設置するためのクランプ固定手段２０の直径も変更しなくてはならない。
このように圧入する杭の直径を変更する場合、従来では別の反力架台を使用していたが、本実施例では一台の反力架台で、アタッチメント２２を取り替えることによって直径の異なる複数の圧入杭の圧入に対応できるのである。
【００１４】
上記アタッチメント２２のクランプ固定手段２０への取り付けは、枠体１０の外側から貫通した固定ピン２４で、アタッチメント２２の両側を固定することによって行なう。このアタッチメント２２は固定ピン２４によって着脱自在に取り付けられているため、直径の異なるクランプに対応できるのである。
【００１５】
上記平行な枠体１０の外側には、それぞれ３個の挟持手段３０が取り付けられている。この挟持手段３０は、内蔵した油圧シリンダの伸長、退縮によって反力体としての反力用杭５０の挟持と開放を行なうのである。
この挟持手段３０によって、予め平行に圧入されている反力用杭５０を挟持して枠体１０、クランプ固定手段２０等を、反力用杭５０上に安定支持するのである。
【００１６】
本実施例で反力体として鋼矢板からなる反力用杭５０を用いているが、これに限定されずいかなる杭でも使用でき、施工地盤で最も施工しやすいものを選択できる。さらにこれらの杭は継手の有無にかかわらない。また、反力がとれれば杭以外の構造物も使用できる。
たとえば図４に示すように河川等の現場では、挟持手段３０で堤防７０の上端を挟持して反力架台１を固定することもできる。
【００１７】
上記のように構成した本実施例の作用を説明する。
まず、反力架台１を挟持手段３０で反力用杭５０に固定する。次いで、クランプ固定手段２０の内部に、杭圧入引抜機のクランプの直径に対応するアタッチメント２２を配置し両側から固定ピン２４で固定する。このようにアタッチメント２２はクランプ固定手段２０に対して容易かつ確実に取り付け、取り外しが行なえる。
この場合、クランプ固定手段２０が杭圧入引抜機のクランプの直径に対応していれば、アタッチメント２２を配置する必要がないこと言うまでもない。
【００１８】
その後、杭圧入引抜機を反力架台１上に設置し先端のチャック（図示せず）で圧入杭６０を挟持してチャックを下降することで、１本目の圧入杭６０を圧入する。このとき反力架台１は挟持手段３０によって反力用杭５０を挟持することで十分な反力を得ているため、確実な圧入作業が行なえる。
【００１９】
１本目の杭６０を圧入した後、前方の枠体１６の端部に設けた連結プレート４０を圧入杭６０の取付部６１にピン等で連結する。これによって、次の２本目以降の圧入杭を圧入するときに既圧入杭６０の反力も利用できるため、さらに安定した杭圧入作業が行なえる。
なお、杭の引抜作業は上記と逆の手順で行なう。
【００２０】
また、反力架台１の撤去に際しては、挟持手段３０を反力用杭５０から開放し連結プレート４０、取付部６１の連結ピン等を外せば直ちに移動可能となり、従来の反力架台に比べて格段に迅速な作業が可能になった。
上記連結手段は、シリンダ等による挟持手段としても良く、また単に圧入杭に溶接しても良い。
【図面の簡単な説明】
【００２１】
【図１】本発明の反力架台の一実施例を示す平面図
【図２】本発明の反力架台の一実施例を示す側面図
【図３】本発明の反力架台の一実施例を示す正面図
【図４】本発明の反力架台の一実施例の使用態様を示す説明図
【図５】従来例の平面図
【符号の説明】
【００２２】
１   反力架台
１０  枠体
２０  クランプ固定手段
２２  アタッチメント
２４  固定ピン
３０  挟持手段
４０  連結プレート
５０  反力体（反力用杭）
６０  圧入杭
【図１】
2006002498.tif 000003
【図２】
2006002498.tif 000004
【図３】
2006002498.tif 000005
【図４】
2006002498.tif 000006
【図５】
2006002498.tif 000007